(57)【要約】【課題】塗装の膜厚に影響されることなくソケット用アダプタと器具本体とのアース導通をとることにより保護接地をとることができる照明器具を提供する。【解決手段】照明器具１０は、ソケット１３を器具本体１１に装着するためのソケット用アダプタ１４を備え、ソケット用アダプタ１４は、器具本体１１に形成した取付孔２７を介して器具本体１１の裏側に導出させた状態で折曲固定する突出部３２を裏側に設けており、突出部３２は先端に向って細くなるように勾配を設けていて器具本体１１の裏側に設けられた突起部２８の端部と取付孔２７の側面とに当接する。【選択図】図４
2011044247.tif 000002
【特許請求の範囲】
【請求項１】
器具本体と、
蛍光ランプを取り付けるためのソケットと、
前記蛍光ランプを点灯させるための点灯装置と、
前記蛍光ランプに電源を供給するための電源端子台と、
を装備し、前記蛍光ランプが前記器具本体の少なくとも一面を発光させるように配置された照明器具であって、
前記ソケットを前記器具本体に装着するためのソケット用アダプタを備え、前記ソケット用アダプタは、前記器具本体に形成した取付孔を介して前記器具本体の裏側に導出させた状態で折曲固定する突出部を裏側に設けており、前記突出部は先端に向って細くなるように勾配を設けていて前記器具本体の裏側に設けられた突起部の端部と前記取付孔の側面とに当接することを特徴とする照明器具。
【請求項２】
前記ソケット用アダプタは、裏側に設けられた突出部の折れ曲がった状態が、前記器具本体の突起部よりも低い高さであることを特徴とする請求項１に記載した照明器具。
【請求項３】
前記器具本体の突起部は、前記ソケット用アダプタの突出部が当接する側より起こされており、その起こし角度は９０度よりも小さいことを特徴とする請求項１または２に記載した照明器具。
【請求項４】
前記器具本体の突起部は、前記ソケット用アダプタの突出部を挟むように一対に構成されており、一対の突起部のうちの少なくとも一方が前記ソケット用アダプタの突出部に当接することを特徴とする請求項１〜３のいずれか１項に記載した照明器具。
【発明の詳細な説明】
【技術分野】
【０００１】
本発明は、例えば住宅や工場等の天井面に取り付けられる照明器具に関し、特にアース導通の改良に関する。
【背景技術】
【０００２】
従来の照明器具においては、蛍光ランプの光を所定方向へ反射させる反射板を設けるのが一般的である（例えば特許文献１参照）。
特許文献１に記載の照明器具においては、器具本体の前面に、ソケット台が取り付けられ、ソケット台には蛍光ランプを装着するソケットが設けられている。ソケット台と蛍光ランプとの間には、蛍光ランプの照射光を照射方向へ反射させる反射板が蛍光ランプの長手方向に沿って設けられている。ソケットは、反射板の長手方向両端部に設けられている切欠きから、反射板の前方に突出している。
【先行技術文献】
【特許文献】
【０００３】
【特許文献１】特開２００１−６４２９号公報（図１、請求項１）
【発明の概要】
【発明が解決しようとする課題】
【０００４】
ところが、上記特許文献１に開示された従来の照明器具では、ソケットの周囲にアース導通をとることが難しい。
【０００５】
そこで、ソケットをソケット用アダプタに装着して器具本体に取り付けるようにした照明器具が提案されている。このような照明器具では、ソケット用アダプタの突出部を器具本体の取付孔から導出させた後に折り曲げることにより、取付孔の傾斜部とソケット用アダプタの突出部の端部とを点接触させるようにしている。
ところで、ソケットを装備するためのソケット用アダプタやソケット台のようなソケット装備部品において、金属製で構成されている場合、例えば、ポリエステル粉体塗装といった絶縁皮膜で保護されていたとしても、ソケットといった給電部品を装備することから、非充電金属部とみなされる。ポリエステル粉体塗装の絶縁皮膜が絶縁破壊されると感電の恐れがあることから、保護接地をとる必要がある。本体は例えば接地端子付き電源端子台と導通がとれているため、ソケット装備部品は本体と導通がとれることで保護接地が可能となる。
【０００６】
これにより、取付孔およびソケット用アダプタの突出部の端部の塗模が剥離してアース導通をとるようにしている。
【０００７】
しかし、このような従来の照明器具では、例えば、器具本体やソケット用アダプタが、鋼板の生地にポリエステル粉体を塗装した場合における膜厚が５０μｍであれば、アース導通はとれるが、膜厚が２倍以上の約１００μｍになっているとアース導通がとれない場合がある。
従って、塗装膜厚によりアース導通を確実にとれなくなる虞がある。
【０００８】
本発明は、前述した課題を解決するためになされたものであり、その目的は、塗装の膜厚に影響されることなくソケット用アダプタと器具本体とのアース導通をとることにより保護接地をとることができる照明器具を提供することにある。
【課題を解決するための手段】
【０００９】
本発明に係る照明器具は、器具本体と、蛍光ランプを取り付けるためのソケットと、前記蛍光ランプを点灯させるための点灯装置と、前記蛍光ランプに電源を供給するための電源端子台と、を装備し、前記蛍光ランプが前記器具本体の少なくとも一面を発光させるように配置された照明器具であって、前記ソケットを前記器具本体に装着するためのソケット用アダプタを備え、前記ソケット用アダプタは、前記器具本体に形成した取付孔を介して前記器具本体の裏側に導出させた状態で折曲固定する突出部を裏側に設けており、前記突出部は先端に向って細くなるように勾配を設けていて前記器具本体の裏側に設けられた突起部の端部と前記取付孔の側面とに当接することを特徴とする。
【００１０】
本発明において、ソケット用アダプタは、その突出部を、器具本体の取付孔から器具本体の裏側に導出させてから折曲固定した際に、器具本体の裏側の突起部の端部と取付孔の側面とにそれぞれ電気的に接触する。
これにより、例えば、鋼板の生地にポリエステル粉体を塗装した場合の膜厚が約１００μｍを超えて厚くなっていたとしても、その塗膜を剥離して電気的に接触させることができる。
従って、塗装の膜厚に影響されることなくソケット用アダプタと器具本体とのアース導通をとることにより保護接地をとることができる。
【００１１】
本発明において、ソケット用アダプタは、その突出部に、先端に向って細くなるように勾配を設けている。
これにより、器具本体の取付孔に挿入される際に勾配を介して挿入される。
従って、勾配により誘導されることにより、突出部を、取付孔に簡単に確実に挿入させることができる。
【００１２】
本発明に係る照明器具は、上記照明器具において、前記ソケット用アダプタは、裏側に設けられた突出部の折れ曲がった状態が、前記器具本体の突起部よりも低い高さであることを特徴とする。
【００１３】
本発明において、突出部を器具本体の取付孔から器具本体の裏側に導出させてから折曲したソケット用アダプタは、突出部の折れ曲がった部分が器具本体の突起部の面内に配置される。
これにより、突出部は、その厚み部分の端面を突起部に対して十分に大きい面積で線接触する。
従って、十分なアース導通をとることができる。
【００１４】
本発明に係る照明器具は、上記照明器具において、前記器具本体の突起部は、前記ソケット用アダプタの突出部が当接する側より起こされており、その起こし角度は９０度よりも小さいことを特徴とする。
【００１５】
本発明において、ソケット用アダプタの突出部は、９０度よりも小さい角度で起こされている器具本体の突起部に当接する。
これにより、先端に向って細くなるように勾配を設けている突出部が突起部に擦りあわされながら押圧されることになり、それに伴い突起部に蓄積される弾性反発力に抗して突出部が押圧接触することになる。
従って、振動等に伴って遮断されることなくアース導通を確実にとることができる。
【００１６】
本発明に係る照明器具は、上記照明器具において、前記器具本体の突起部は、前記ソケット用アダプタの突出部を挟むように一対に構成されており、一対の突起部のうちの少なくとも一方が前記ソケット用アダプタの突出部に当接することを特徴とする。
【００１７】
本発明においては、ソケット用アダプタは、その突出部を、器具本体の取付孔から器具本体の裏側に導出させてから折曲固定した際に、ソケット用アダプタの突出部を挟むように一対に構成されていて一対の突起部のうちの少なくとも一方の端部と取付孔の側面とにそれぞれ電気的に接触する。
これにより、突出部は、その厚み部分の端面を少なくとも一方の突起部に対して十分に大きい面積で接触する。
従って、十分なアース導通をとることができる。
【発明の効果】
【００１８】
本発明の照明器具によれば、ソケットを器具本体に装着するためのソケット用アダプタを備え、ソケット用アダプタは、器具本体に形成した取付孔を介して器具本体の裏側に導出させた状態で折曲固定する突出部を裏側に設けており、突出部は先端に向って細くなるように勾配を設けていて器具本体の裏側に設けられた突起部の端部と取付孔の側面とに当接する。
これにより、塗装の膜厚に影響されることなくソケット用アダプタと器具本体とのアース導通をとることにより保護接地をとることができるという効果を有する。
【図面の簡単な説明】
【００１９】
【図１】本発明に係る第１実施形態の照明器具の斜め下方から視た外観斜視図
【図２】図１の照明器具の分解斜視図
【図３】図１の照明器具におけるソケット用アダプタの器具本体への組付け前の分解斜視図
【図４】図３のソケット用アダプタと器具本体との斜め上方から視た外観斜視図
【図５】図１の照明器具における器具本体の一部破断水平断面図
【図６】図３のソケット用アダプタの器具本体への組付け後の外観斜視図
【図７】図３の照明器具のソケットを取り外した垂直断面図
【図８】図７の照明器具の一部破断右側面図
【図９】本発明に係る第２実施形態の照明器具の一部破断右側面図
【図１０】本発明に係る第３実施形態の照明器具における器具本体の一部破断右側面図
【図１１】図１０の照明器具のソケットを取り外した垂直断面図
【発明を実施するための形態】
【００２０】
以下、本発明の複数の実施形態に係る照明器具について図面を参照して説明する。
【００２１】
（第１実施形態）
図１、図２に示すように、本発明の第１実施形態である照明器具１０は、器具本体１１と、光源である一対の直管型の蛍光ランプ１２と、蛍光ランプ１２に電気的に接続される二対のソケット１３と、ソケット１３を器具本体１１に取り付けるための二対のソケット用アダプタ１４と、蛍光ランプ１２を点灯させるための点灯装置である安定器１５と、蛍光ランプ１２に給電するための電源端子台１６と、蛍光ランプ１２からの光が器具本体１１の少なくとも一面を発光させるように配置された反射板１７とを備えて、天井面１に形成された埋設穴２に取り付けられる。
【００２２】
器具本体１１は、導電性を有する比較的薄い金属製板部材を用いて成形されており、天板１８と、一対の短寸側板１９と、一対の長寸側板２０とを有して下方を開放している。器具本体１１は、鋼板の生地に膜厚が約１００μｍを超えて厚いポリエステル粉体を塗装している。
【００２３】
器具本体１１は、天板１８の下面において幅方向の中央部に、安定器１５と、電源端子台１６とをそれぞれ取り付けている。
【００２４】
器具本体１１は、天板１８の下面において幅方向の中央部に、長手方向に一対の取付ボルト孔２１と、電源端子台１６の近傍に単一の電源線挿通孔２２とを設けており、短寸側板１９寄りに三対の反射板取付孔２３を設けている。
【００２５】
取付ボルト孔２１には、天井面１から床面に向けて突出設置されている一対の取付ボルト３がそれぞれ挿通される。そして、これら取付ボルト３に座金２４を介してナット２５がそれぞれねじ込まれることにより器具本体１１が埋設穴２に組み込まれてアース導通される。
【００２６】
電源線挿通孔２２には、埋設穴２内から電源線４が引き込まれる。電源線４は電源端子台１６に電気的に接続される。端子台１６からは安定器１５を通じてソケット１３へ不図示の器具電線が接続される。
【００２７】
ソケット１３はソケット用アダプタ１４に組み付けられている。ソケット１３はソケット用アダプタ１４が器具本体１１の短寸側板１９に取り付けられることにより器具本体１１に組み付けられる。
【００２８】
反射板１７は、器具本体１１の両短寸側板１９間の距離よりもわずかに短い長さを有してＶ字形状に形成されている。反射板１７は、その外縁部に三対の反射板取付爪２６を有する。反射板１７は三対の反射板取付爪２６を器具本体１１の三対の反射板取付孔２３にそれぞれ差し込むことにより、安定器１５、電源端子台１６、取付ボルト３、座金２４およびナット２５、電源線４のそれぞれを内部に収納して器具本体１１に取り付けられる。
【００２９】
次に、器具本体１１とソケット用アダプタ１４との詳細構造およびソケット用アダプタ１４の器具本体１１への組み付け手順について説明する。
【００３０】
図３、図４、図５に示すように、器具本体１１の短寸側板１９には、Ｉ字形状をなす貫通孔である一対の取付孔２７が水平方向に並べて形成されており、これら取付孔２７の下方に一対の突起部２８が取付孔２７と対をなして形成されている。
【００３１】
突起部２８は、短寸側板１９を矩形に切除して切り起すことにより、短寸側板１９の面に対して９０度よりも小さい切り起し角度θ１（θ１＜９０°）で短寸側板１９の裏面に垂直方向に起こされている。
【００３２】
ソケット用アダプタ１４は、器具本体１１と同様の導電性を有する比較的薄い金属製板部材を折曲成形することにより形成されている。ソケット用アダプタ１４は鋼板の生地に膜厚が約１００μｍを超えて厚いポリエステル粉体を塗装している。
【００３３】
ソケット用アダプタ１４は、前面に配置されていてソケット１３に有する一対のソケット足２９を嵌入させる一対のソケット足孔３０を形成したソケット装着部３１と、器具本体１１の一対の取付孔２７に対応するものとしてソケット装着部３１の反対側に水平方向に突出した一対の突出部３２とを有する。突出部３２は先端に向って幅寸法が細くなるような勾配面３３を有する。
【００３４】
ソケット用アダプタ１４は、ソケット１３を器具本体１１に取り付けるにあたり、ソケット装着部３１の一対のソケット足孔３０にソケット１３の一対のソケット足２９をそれぞれ嵌入させ、一対の突出部３２を一対の取付孔２７に嵌挿させて、一対の突出部３２を器具本体１１の短寸側板１９の表側から裏側に貫通させる。
【００３５】
図６、図７、図８に示すように、次に、器具本体１１の短寸側板１９の裏側に突出している一対の突出部３２を下方に向けて折り曲げ成形する。
【００３６】
一対の突出部３２が下方に向けて折り曲げ成形されることにより、一対の突出部３２の表面が一対の取付孔２７の側面（内面）にそれぞれ面接触し、同時に、一対の突出部３２の厚み部分の端面が一対の突起部２８の端縁に線接触する。
【００３７】
このとき、一対の突出部３２が一対の取付孔２７に嵌挿されることにより、器具本体１１およびソケット用アダプタ１４のそれぞれが、鋼板の生地にポリエステル粉体を塗装した場合の膜厚が約１００μｍを超えて厚くなっていたとしても、互いに擦りあわされて突出部３２および取付孔２７において塗膜を剥離する。
これにより、突出部３２および取付孔２７が電気的に導通される。
【００３８】
一対の突出部３２は、短寸側板１９の裏側に折れ曲がった状態における短寸側板１９からの高さ寸法Ｌ１が、器具本体１１の短寸側板１９の一対の突起部２８の短寸側板１９からの高さ寸法Ｌ２よりも低い高さに設定されている。
これにより、器具本体１１およびソケット用アダプタ１４のそれぞれが、鋼板の生地にポリエステル粉体を塗装した場合の膜厚が約１００μｍを超えて厚くなっていたとしても、その塗膜を剥離して大きな接触面積で一対の突起部２８の端縁に線接触して、突出部３２および突起部２８が大きな接触面積で線接触して電気的に導通され、器具本体１１を通じてソケット用アダプタ１４がアース導通される。
【００３９】
一対の突出部３２は、先端に向って細くなるように勾配面３３を有するとともに、突起部２８が短寸側板１９の面に対して９０度よりも小さい切り起し角度θ１で短寸側板１９の裏面に向けて垂直方向に起こされている。
これにより、一対の突出部３２が一対の突起部２８をそれぞれ押圧することになり、それに伴い一対の突起部２８に蓄積されている弾性反発力に抗して一対の突出部３２がそれぞれ押圧当接することになる。
【００４０】
以上説明してきたように、本発明の第１実施形態の照明器具１０では、ソケット用アダプタ１４は、一対の突出部３２を、器具本体１１の取付孔２７から器具本体１１の裏側に導出させてから折曲固定した際に、器具本体１１の裏側の突起部２８の端縁と取付孔２７の側面とにそれぞれ電気的に接触する。
これにより、例えば、鋼板の生地にポリエステル粉体を塗装した場合の膜厚が約１００μｍを超えて厚くなっていたとしても、その塗膜を剥離して電気的に接触させることができる。
従って、塗装の膜厚に影響されることなくソケット用アダプタ１４と器具本体１１とのアース導通をとることにより保護接地をとることができる。
【００４１】
本発明の第１実施形態の照明器具１０では、ソケット用アダプタ１４は、その突出部３２に、先端に向って細くなるように勾配面３３を設けている。
これにより、器具本体１１の取付孔２７に挿入される際に勾配面３３を介して挿入される。
従って、勾配面３３により誘導されることにより、突出部３２を、取付孔２７に簡単に確実に挿入させることができる。
【００４２】
本発明の第１実施形態の照明器具１０では、一対の突出部３２を器具本体１１の取付孔２７から器具本体１１の裏側に導出させてから折曲したソケット用アダプタ１４は、突出部３２の折れ曲がった部分が器具本体１１の突起部２８の面内に配置される。
これにより、突出部３２は、その厚み部分の面を突起部２８に対して十分に大きい面積で線接触する。
従って、十分なアース導通をとることができる。
【００４３】
本発明の第１実施形態の照明器具１０では、ソケット用アダプタ１４の一対の突出部３２は、９０度よりも小さい角度で起こされている器具本体１１の一対の突起部２８にそれぞれ当接する。
これにより、先端に向って細くなるように勾配面３３を設けている突出部３２が突起部２８に擦りあわされながら押圧されることになり、それに伴い突起部２８に蓄積される弾性反発力に抗して突出部３２が押圧接触することになる。
従って、振動等に伴って遮断されることなくアース導通を確実にとることができる。
【００４４】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００４５】
図９に示すように、本発明の第２実施形態の照明器具４０は、器具本体１１に、ソケット用アダプタ１４の一対の突出部３２をそれぞれ挟むような二対の突起部４１，４２を設けた。
【００４６】
二対の突起部４１，４２は、いずれもがソケット用アダプタ１４の突出部３２に当接する。突起部４１，４２は二対設けておくことにより、少なくとも一方をソケット用アダプタ１４の突出部３２に当接するようにすることもできる。
【００４７】
本発明の第２実施形態の照明器具４０では、ソケット用アダプタ１４は、一対の突出部３２を、器具本体１１の取付孔２７から器具本体１１の裏側に導出させてから折曲固定した際に、ソケット用アダプタ１１の突出部３２を挟むように一対に構成されていて一対の突起部４１，４２の両端部と取付孔２７の側面とにそれぞれ線接触で当接する。
これにより、突出部３２は、その厚み部分の端面を両突起部４１，４２に対して十分に大きい面積で線接触する。
従って、十分なアース導通をとることができる。
【００４８】
（第３実施形態）
次に、本発明の第３実施形態の照明器具について説明する。
【００４９】
図１０、図１１に示すように、本発明の第３実施形態の照明器具５０は、器具本体１１の短寸側板１９にソケット１３の一対のソケット足２９を嵌入させる一対のソケット足孔５１を形成しており、これらソケット足孔５１よりも天井面１の埋設穴２寄りである器具本体１１の上方側に一対の突起部５２を設けた。この場合、ソケット用アダプタは適用されていない。
【００５０】
照明器具５０は、ソケット１３のソケット足２９をソケット足孔５１に嵌入することにより、ソケット足２９が器具本体１１の短寸側板１９の裏面において突起部５２の下方側に突出する。
【００５１】
本発明の第３実施形態の照明器具５０は、上述した第１実施形態と同様の作用効果を奏する。特に本実施形態によれば、施工時に器具本体１１を図１１中の矢印方向に向けて天井面１の埋設穴２に挿入する時に、天井面１に突起部５２が当接してソケット足２９が天井面１に干渉しない。
従って、ソケット足２９の天井面１への干渉を防止してソケット１３の器具本体１１からの外れを起こさないようにすることができる。
【００５２】
なお、前記各実施形態で使用した器具本体１１、蛍光ランプ１２、ソケット１３、安定器１５、電源端子台１６、反射板１７等は例示したものに限定するものではなく適宜変更が可能である。
【符号の説明】
【００５３】
１０、４０、５０  照明器具
１１  器具本体
１２  蛍光ランプ
１３  ソケット
１４  ソケット用アダプタ
１５  安定器（点灯装置）
１６  電源端子台
２７  取付孔
２８、４１、４２、５２  突起部
３２  突出部
【図１】
2011044247.tif 000003
【図２】
2011044247.tif 000004
【図３】
2011044247.tif 000005
【図４】
2011044247.tif 000006
【図５】
2011044247.tif 000007
【図６】
2011044247.tif 000008
【図７】
2011044247.tif 000009
【図８】
2011044247.tif 000010
【図９】
2011044247.tif 000011
【図１０】
2011044247.tif 000012
【図１１】
2011044247.tif 000013